(57)【要約】【課題】筋交い１６を正面側から取り付けることができるようにして、載置棚１１の組み立て作業性を向上する。【解決手段】周りを囲む支柱１２と、この支柱１２に水平に掛け渡された棚板１４と、支柱１２の背面側に取り付けられた筋交い１６と、筋交い１６の途中に設けられ連結、切り離しをするナット３７と、一端部が支柱１２に回動可能に取り付けられ他端部が筋交い１６の端部に取り付けられる取り付け用金具１５とを備えて構成した。ナット３７にはその両端に互いに逆のネジ溝が設けられ、筋交い１６側にも対応したネジ山が設けられる。取り付け用金具１５は、その一端が支柱１２に回動可能に取り付けられ、他端が筋交い１６の端部に取り付けられる。【選択図】図１
0003101666.tif 000002
【実用新案登録請求の範囲】
【請求項１】
周りを囲む枠体と、この枠体内に水平に掛け渡された棚板と、上記枠体の背面側に取り付けられた筋交いと、一端部が上記枠体に取り付けられ他端部が上記筋交いの端部に取り付けられる取り付け用金具とを備えたことを特徴とする載置棚。
【請求項２】
周りを囲む枠体と、この枠体内に水平に掛け渡された棚板と、上記枠体の背面側に取り付けられた筋交いと、当該筋交いの途中に設けられ連結、切り離しをするナットとを備えたことを特徴とする載置棚。
【請求項３】
周りを囲む枠体と、この枠体内に水平に掛け渡された棚板と、上記枠体の背面側に取り付けられた筋交いと、当該筋交いの途中に設けられ連結、切り離しをするナットと、一端部が上記枠体に回動可能に取り付けられ他端部が上記筋交いの端部に取り付けられる取り付け用金具とを備えたことを特徴とする載置棚。
【請求項４】
請求項１又は３に記載の載置棚において、
上記取り付け用金具が、短冊状に形成されて上記枠体に回動可能に取り付けられたことを特徴とする載置棚。
【請求項５】
請求項１ないし４のいずれか１項に記載の載置棚において、
上記枠体が、４本の支柱と、各支柱に連結する横木とから構成されたことを特徴とする載置棚。
【考案の詳細な説明】
【技術分野】
【０００１】
この考案は、横に多数並べて組み立てたり、壁に沿わせて組み立てたりする載置棚に関するものである。
【背景技術】
【０００２】
載置棚としては図２に示すようなものが一般に知られている。この載置棚１は主に、４本の支柱２と、上端で各支柱２に掛け渡して取り付けられた天板３と、下端で各支柱２に掛け渡して取り付けられた底板４と、中間位置で各支柱２に掛け渡して取り付けられた棚板５と、各支柱２に背面側から取り付けられた筋交い６とから構成されている。
【０００３】
筋交い６は、中央部で互いに回動可能に連結された２本の鉄棒から構成されている。この筋交い６の各鉄棒の両端部は平板状に形成され、その中央にボルト穴が設けられている。これにより、筋交い６は、各鉄棒の両端部がボルト穴を通してボルトで各支柱２に固定されることで、載置棚１の背面側に取り付けられている。
【考案の開示】
【考案が解決しようとする課題】
【０００４】
しかしながら、上述した構成の載置棚では、次のような問題がある。
【０００５】
筋交い６を載置棚１に取り付ける際には、載置棚１の背面側に回って作業する必要がある。このとき、載置棚１を広い空間で組み立てて、目的の位置まで搬送して据え付ける場合は特に問題にならないが、載置棚１が大きくて組み立てた状態では出入口を通らない等の事情がある場合は問題となる。載置棚１を壁に付けた状態で組み立てる場合には、載置棚１と壁との隙間が狭くて載置棚１の背面側へ回り込むことができない。複数の載置棚１を横に一列に並べて組み立てる場合には、載置棚１の背面側へ回り込むために、横に一列に並んだ載置棚１の全てを越えて大きく迂回しなければならない。このため、組み立て作業性が悪いという問題がある。
【０００６】
本考案は、上述の点に鑑みてなされたもので、正面側から筋交いを取り付けて全体を組み立てることができる載置棚を提供することを目的とする。
【課題を解決するための手段】
【０００７】
前述した課題を解決するために第１の考案に係る載置棚は、周りを囲む枠体と、この枠体内に水平に掛け渡された棚板と、上記枠体の背面側に取り付けられた筋交いと、一端部が上記枠体に取り付けられ他端部が上記筋交いの端部に取り付けられる取り付け用金具とを備えたことを特徴とする。
【０００８】
上記構成により、まず取り付け用金具の一端部を枠体に取り付けておく。この状態で、枠体と棚板を組み立てた後、正面側から取り付け用金具に筋交いを取り付ける。または、枠体を組み立てて、正面側から取り付け用金具に筋交いを取り付けた後、棚板を枠体に取り付ける。
【０００９】
第２の考案に係る載置棚は、周りを囲む枠体と、この枠体内に水平に掛け渡された棚板と、上記枠体の背面側に取り付けられた筋交いと、当該筋交いの途中に設けられ連結、切り離しをするナットとを備えたことを特徴とする。
【００１０】
上記構成により、枠体を組み立てるときに、ナットの部分で分割された筋交いを左右の部材にそれぞれ取り付けておく。この状態で、枠体と棚板とを組み立てる。次いで、正面側から、分割された筋交いをナットで連結してテンションを調整する。または、枠体を組み立てて、正面側から、分割された筋交いをナットで連結してテンションを調整した後、棚板を枠体に取り付ける。
【００１１】
第３の考案に係る載置棚は、周りを囲む枠体と、この枠体内に水平に掛け渡された棚板と、上記枠体の背面側に取り付けられた筋交いと、当該筋交いの途中に設けられ連結、切り離しをするナットと、一端部が上記枠体に回動可能に取り付けられ他端部が上記筋交いの端部に取り付けられる取り付け用金具とを備えたことを特徴とする。
【００１２】
上記構成により、第１の組み立て方法は、まず取り付け用金具の一端部を枠体に取り付けておく。この状態で、枠体と棚板を組み立てた後、正面側から取り付け用金具に筋交いを取り付ける。または、枠体を組み立てて、正面側から取り付け用金具に筋交いを取り付けた後、棚板を枠体に取り付ける。次いで、ナットで筋交いのテンションを調整する。
【００１３】
また、第２の組み立て方法は、ナットの部分で分割された筋交いを左右の取り付け用金具にそれぞれ取り付けておく。この状態で、枠体と棚板とを組み立てる。次いで、正面側から、分割された筋交いをナットで連結してテンションを調整する。または、枠体を組み立てて、正面側から、分割された筋交いをナットで連結してテンションを調整した後、棚板を枠体に取り付ける。
【００１４】
第４の考案に係る載置棚は、第１又は第３の考案に係る載置棚において、上記取り付け用金具が、短冊状に形成されて上記枠体に回動可能に取り付けられたことを特徴とする。
【００１５】
上記構成により、回動可能に取り付けられた取り付け用金具を水平方向に回動させることで、正面側から操作できるようになる。この状態で、正面側から取り付け用金具に筋交いを取り付ける。
【００１６】
第５の考案に係る載置棚は、第１ないし４のいずれかの考案に係る載置棚において、上記枠体が、４本の支柱と、各支柱に連結する横木とから構成されたことを特徴とする。
【００１７】
上記構成により、４本の支柱に横木を連結して枠体を構成した後、背面側の支柱に取り付け用金具や筋交いを取り付ける。
【考案の効果】
【００１８】
（１）枠体に取り付け用金具を取り付けたので、正面側から取り付け用金具に筋交いの端部を取り付けることで、筋交いを正面側から枠体の背面側に取り付けることができる。これにより、載置棚を容易に組み立てることができ、載置棚の組み立て作業性が大幅に向上する。
【００１９】
（２）筋交いの途中に連結、切り離しをするナットを設けたので、枠体とナットで分割された筋交いとを組み立てて、正面側から、分割された筋交いをナットで連結することができる。これにより、載置棚を容易に組み立てることができ、載置棚の組み立て作業性が大幅に向上する。
【００２０】
（３）枠体に取り付け用金具を取り付け、筋交いの途中に連結、切り離しをするナットを設けたので、正面側から取り付け用金具に筋交いの端部を取り付けることで、筋交いを正面側から枠体の背面側に取り付けることができる。このとき、筋交いを分割した状態で取り付け用金具に取り付けておいて、枠体を組み立てた後、正面側から、分割された筋交いをナットで連結してもよい。これにより、載置棚を容易に組み立てることができ、載置棚の組み立て作業性が大幅に向上する。
【００２１】
（４）取り付け用金具を短冊状に形成して、枠体に回動可能に取り付けたので、取り付け用金具を水平方向に回動させて正面側から取り付け用金具に筋交いを取り付けることができるようになる。これにより、載置棚を容易に組み立てることができ、載置棚の組み立て作業性が大幅に向上する。
【００２２】
（５）枠体を、４本の支柱と、各支柱に連結する横木とから構成したので、背面側の支柱に取り付け用金具や筋交いを取り付けて、載置棚を容易に組み立てることができ、載置棚の組み立て作業性が大幅に向上する。
【考案を実施するための最良の形態】
【００２３】
以下、本考案に係る載置棚ついて図面を参照しながら説明する。図１は本実施形態に係る載置棚を示す斜視図、図３は本実施形態に係る載置棚の支柱と横木の連結構造を示す斜視図、図４は本実施形態に係る載置棚の棚板を示す平面図、図５は図４の棚板の側面図、図６は本実施形態に係る載置棚の取り付け用金具を示す平面図、図７は本実施形態に係る載置棚の取り付け用金具を示す側面図、図８は本実施形態に係る載置棚の取り付け用金具を示す裏面図、図９は本実施形態に係る載置棚の取り付け用金具を示す要部断面図、図１０は本実施形態に係る載置棚の筋交いを示す正面図、図１１は本実施形態に係る載置棚の取り付け用金具と筋交いとの連結構造を示す斜視図、図１２は本実施形態に係る載置棚の取り付け用金具と筋交いとの連結構造を示す要部拡大図、図１３は本実施形態に係る載置棚の筋交いの棒材を示す正面図、図１４は本実施形態に係る載置棚の筋交いの棒材を示す側面図である。
【００２４】
本実施形態の載置棚１１は、図１に示すように、支柱１２と、横木１３と、棚板１４と、取り付け用金具１５と、筋交い１６とから構成されている。
【００２５】
支柱１２は、載置棚１１の周りを囲む枠体を構成する部材である。各支柱１２は、載置棚１１の四隅の位置に４本設けられている。各支柱１２は、図１及び図３に示すように、その全長に亘って縦溝１７が設けられている。この縦溝１７は、正面側の支柱１２にはその背面側に１本設けられ、背面側の支柱１２にはその正面側と内面側に２本設けられている。各縦溝１７には杭１８が取り付けられている。この杭１８は、横木１３や棚板１４を支持するための棒材である。杭１８は、縦溝１７を横断するように横方向に取り付けられている。さらに、杭１８は、縦溝１７の全長に亘って一定間隔（例えば５ｃｍ程度の間隔）をおいて多数設けられている。
【００２６】
横木１３は、各支柱１２を載置棚１１の四隅の位置に配置した状態で各支柱１２に掛け渡して取り付けられてこれらを支持するための棒材である。横木１３は、対向する２つの支柱１２に掛け渡して取り付けられている。横木１３の両端部には、下方へＬ字状に折り曲げられたフック１９が取り付けられている。このフック１９が支柱１２の縦溝１７に挿入されて杭１８に引っ掛けられることで、横木１３が支柱１２に連結されるようになっている。
【００２７】
棚板１４は、ものを載置するための板材である。棚板１４は、図１、図４及び図５に示すように、４本の支柱１２に、その上下方向の中間位置で掛け渡して取り付けられている。棚板１４は、ほぼ四角形板状に形成されている。棚板１４の長手方向両端部にはフック機構２１が設けられている。このフック機構２１は、棚板１４を支柱１２に引っ掛けるための機構である。フック機構２１は、凸板部２２と、支持用金板２３とから構成されている。凸板部２２は、棚板１４の端部から支柱１２側へ隆起させて形成されている。凸板部２２の幅は、載置棚１１の側面に位置する２本の支柱１２の間隔と同じ寸法に設定されている。これにより、凸板部２２は、側面の２本の支柱１２の間に密に挿入されるようになっている。支持用金板２３は、支柱１２の縦溝１７に挿入されて杭１８に支持されるための部材である。この支持用金板２３は、凸板部２２の端部に取り付けられている。支持用金板２３は、貼付板部２４と、係止用爪部２５とから構成されている。貼付板部２４は、係止用爪部２５を支持するための部材である。貼付板部２４は、Ｌ型に曲げた短冊状に形成され、凸板部２２の先端面と下側面に当接して、釘等で固定されている。係止用爪部２５は、支柱１２の縦溝１７に挿入されて杭１８に当接するための部材である。係止用爪部２５は、貼付板部２４と一体的に設けられた状態で、凸板部２２の短尺方向（図４中の上下方向）両端に延出して設けられている。この構造により、凸板部２２が側面の２本の支柱１２の間に挿入された状態で、支持用金板２３の係止用爪部２５が縦溝１７に挿入されて杭１８に支持されるようになっている。
【００２８】
取り付け用金具１５は、載置棚１１の正面側から、筋交い１６を背面側の支柱１２に取り付けるための部材である。取り付け用金具１５は、支柱１２の背面側に取り付けられている。取り付け用金具１５は、図６〜図９に示すように、平板部２７と、ナット部２８と、回転穴部２９とから構成されている。
【００２９】
平板部２７は、支柱１２と筋交い１６とを連結するための部材である。平板部２７は短冊状に形成されている。平板部２７の両端部は半円状に湾曲して形成されている。ナット部２８は、平板部２７と筋交い１６とを連結するための部材である。ナット部２８は平板部２７の一方の端部に一体的に取り付けられている。このナット部２８の反対側で平板部２７と筋交い１６の端部とが重ねられて、ナット部２８にボルト（図示せず）が通され締め付けられることにより、平板部２７と筋交い１６の端部とが互いに固定されるようになっている。回転穴部２９は、支柱１２に平板部２７を回転可能に取り付けるための部位である。この回転穴部２９は、平板部２７の他方の端部に設けられている。回転穴部２９はさら穴状に形成され、さら頭のボルトやネジ（図示せず）で支柱１２に固定されることで、平板部２７が支柱１２に回転可能に支持されるようになっている。
【００３０】
筋交い１６は、載置棚１１を補強するための部材である。筋交い１６は、載置棚１１の各支柱１２に背面側から取り付けられている。筋交い１６は、図１０〜図１４に示すように構成されている。この筋交い１６は、互いに交差して取り付けられた２本の棒材３１で構成されている。各棒材３１は、一側平板部３２と、一側棒部３３と、中央平板部３４と、他側基端棒部３５と、他側先端棒部３６と、ナット３７と、他側先端平板部３８とから構成されている。
【００３１】
一側平板部３２は、ボルト等で支柱１２に直接固定されたり、取り付け用金具１５に固定されたりするための部位である。この一側平板部３２は、平板状に形成されて、その中央にボルト穴が設けられている。一側棒部３３は、引張応力に強い材料で構成されている。中央平板部３４は、２本の棒材３１を互いに連結するための部位である。この中央平板部３４は、平板状に形成されて、その中央にボルト穴が設けられている。２本の棒材３１は各中央平板部３４を互いに重ねた状態でボルト穴を合わせてボルトを通して互いに連結される。他側基端棒部３５は、中央平板部３４からナット３７まで延びる棒材である。他側基端棒部３５は、その基端部が中央平板部３４に一体的に連結された状態で、先端部に、ナット３７にねじ込まれるネジ山３５Ａが形成されている。他側先端棒部３６は、ナット３７で分割された先端側の棒材である。他側先端棒部３６の基端部には、ナット３７にねじ込まれるネジ山３６Ａが形成されている。このネジ山は他側基端棒部３５のネジ山３５Ａとは逆方向に形成されている。他側先端棒部３６の先端部には、他側先端平板部３８が一体的に連結されている。ナット３７は、他側基端棒部３５と他側先端棒部３６とを互いに連結し、切り離すための部材である。ナット３７は、円柱状の部材で構成され、その内部にネジ溝が形成されている。このネジ溝は、円柱状の部材の両側にそれぞれ設けられている。さらに、両側のネジ溝はそれぞれ逆方向に形成されている。これにより、ナット３７を一方へ回せば他側基端棒部３５と他側先端棒部３６とが互いにねじ込まれて締まり、他方へ回せば他側基端棒部３５と他側先端棒部３６とが互いに弛められて外れるようになっている。他側先端平板部３８は、ボルト等で支柱１２に直接固定されたり、取り付け用金具１５に固定されるための部位である。この他側先端平板部３８は、平板状に形成されて、その中央にボルト穴が設けられている。
【００３２】
以上のように構成された載置棚１１は次のようにして組み立てられる。
【００３３】
まず、背面側の支柱１２に取り付け用金具１５が回動可能に取り付けられれる。次いで、４本の支柱１２に横木１３を取り付ける。この場合、横木１３の両端のフック１９を支柱１２の縦溝１７に挿入して、杭１８に引っ掛ける。
【００３４】
次いで、取り付け用金具１５に筋交い１６を取り付ける。この場合は、まず、筋交い１６のナット３７を弛めておく。そして、載置棚１１の正面側から、筋交い１６の他側先端平板部３８と取り付け用金具１５の平板部２７とを重ね、これらにボルトを通してナット部２８にねじ込んで、互いに固定する。これを筋交い１６の４カ所の位置で行う。次いで、棚板１４を各支柱１２に取り付ける。この場合は、棚板１４の凸板部２２を側面の２本の支柱１２の間に挿入し、支持用金板２３の係止用爪部２５を縦溝１７に挿入する。その状態で、棚板１４を下方へずれすと、係止用爪部２５が杭１８に当接して支持される。最後に、ナット３７を閉めて、テンションを調整する。
【００３５】
なお、載置棚１１の組み立て順番としては、取り付け用金具１５に予め筋交い１６の一部を取り付けておいてもよい。即ち、ナット３７を外して筋交い１６の他側先端棒部３６を他側基端棒部３５から切り離して、他側基端棒部３５と他側先端棒部３６とを予め個別に各支柱１２に取り付けておいて、支柱１２に横木１３や棚板１４等を取り付けた後に、ナット３７で他側基端棒部３５と他側先端棒部３６とを連結してもよい。さらに、この場合、取り付け用金具１５を設けず、分割した他側基端棒部３５と他側先端棒部３６とをそれぞれ各支柱１２にボルト等で直に取り付けてもよい。
【００３６】
取り付け用金具１５を他側先端棒部３６側にだけ設け、一側平板部３２側は支柱１２にボルト等で直に固定するようにしてもよい。
【００３７】
この載置棚１１は、例えば、店舗等での商品の陳列棚等に使用されるものである。このため、載置棚１１は、その店舗等の中央部分に複数台並べて据え付けられたり、壁に沿わせて据え付けられたりする。
【００３８】
載置棚１１を複数台並べて据え付ける場合は、筋交い１６を取り付けるために、一番外側の載置棚１１を回って背面側へ行く必要がなく、正面側から筋交い１６を取り付けることができる。
【００３９】
載置棚１１を壁に沿わせて据え付ける場合は、載置棚１１と壁との間が狭くて背面側へ回ることができないが、正面側から筋交い１６を取り付けることができる。
【００４０】
以上のように、載置棚１１の背面側に取り付ける筋交い１６を載置棚１１の正面側から取り付けることができるようになるため、載置棚１１を容易に組み立てることができるようになり、載置棚１１の組み立て作業性が大幅に向上する。
【００４１】
［変形例］
（１）  上記実施形態では、棚板１４が１枚だけ設けた載置棚１１を例に説明したが、本考案はこれに限らず、複数枚の棚板１４を設けてもよい。支柱１２も、左右に２本ずつ設けた例に限らず、中間部にも支柱１２を設けた載置棚等、筋交い１６を設けた各種の載置棚に対して本願考案を適用することができる。
【００４２】
この場合も、上記実施形態と同様の作用、効果を奏することができる。
【００４３】
（２）  上記実施形態では、載置棚１１の周りを囲む枠体として４本の支柱１２を備えたが、一枚板状の側板、天板及び底板で枠体を構成してもよい。また、他の材料で構成してもよい。本校案は、筋交い１６を設ける必要のある全ての載置棚に適用することができる。
【００４４】
この場合も、上記実施形態と同様の作用、効果を奏することができる。
【００４５】
（３）  上記実施形態では、横木１３及び棚板１４の支柱１２への取付は、フック１９及び係止用爪部２５を縦溝１７の杭１８に引っ掛けることで行うようにしたが、他の構造でもよいことは言うまでもない。
【００４６】
この場合も、上記実施形態と同様の作用、効果を奏することができる。
【図面の簡単な説明】
【００４７】
【図１】本考案の実施形態に係る載置棚を示す斜視図である。
【図２】従来の載置棚を示す斜視図である。
【図３】本考案の実施形態に係る載置棚の支柱と横木の連結構造を示す斜視図である。
【図４】本考案の実施形態に係る載置棚の棚板を示す平面図である。
【図５】図４の棚板の側面図である。
【図６】本考案の実施形態に係る載置棚の取り付け用金具を示す平面図である。
【図７】本考案の実施形態に係る載置棚の取り付け用金具を示す側面図である。
【図８】本考案の実施形態に係る載置棚の取り付け用金具を示す裏面図である。
【図９】本考案の実施形態に係る載置棚の取り付け用金具を示す要部断面図である。
【図１０】本考案の実施形態に係る載置棚の筋交いを示す正面図である。
【図１１】本考案の実施形態に係る載置棚の取り付け用金具と筋交いとの連結構造を示す斜視図でる。
【図１２】本考案の実施形態に係る載置棚の取り付け用金具と筋交いとの連結構造を示す要部拡大図である。
【図１３】本考案の実施形態に係る載置棚の筋交いの棒材を示す正面図である。
【図１４】本考案の実施形態に係る載置棚の筋交いの棒材を示す側面図である。
【符号の説明】
【００４８】
１１：載置棚、１２：支柱、１３：横木、１４：棚板、１５：取り付け用金具、１６：筋交い、１７：縦溝、１８：杭、１９：フック、２１：フック機構、２２：凸板部、２３：支持用金板、２４：貼付板部、２５：係止用爪部、２７：平板部、２８：ナット部、２９：回転穴部、３１：棒材、３２：一側平板部、３３：一側棒部、３４：中央平板部、３５：他側基端棒部、３６：他側先端棒部、３７：ナット、３８：他側先端平板部。
【図１】
0003101666.tif 000003
【図２】
0003101666.tif 000004
【図３】
0003101666.tif 000005
【図４】
0003101666.tif 000006
【図５】
0003101666.tif 000007
【図６】
0003101666.tif 000008
【図７】
0003101666.tif 000009
【図８】
0003101666.tif 000010
【図９】
0003101666.tif 000011
【図１０】
0003101666.tif 000012
【図１１】
0003101666.tif 000013
【図１２】
0003101666.tif 000014
【図１３】
0003101666.tif 000015
【図１４】
0003101666.tif 000016